(57)【特許請求の範囲】
【請求項１】
２つの音声信号チャンネル及びグランド用の各ラインを有し、ヘッドホンに接続された３極ケーブル、又はこれらのラインに加え、第４のラインを有し、所定の録音装置に接続された４極ケーブルが選択的に接続可能な出力端子と、
前記出力端子に対して前記４極ケーブルが接続され、かつその第４ラインを介して所定の信号が得られた第１の接続状況にあること、又は前記出力端子に対して前記３極ケーブルが接続された第２の接続状況にあることを検出する接続状況検出手段と、
前記出力端子に対し、所定の音声信号の供給を行うにあたり、前記第１の接続状況にある場合には予め定められた第１のレベルで供給を行い、前記第２の接続状況にある場合には第２のレベルで供給を行う音声信号供給手段とを備え、
前記音声信号供給手段は、前記第１のレベルで前記出力端子に対する音声信号の供給を行うとき、該音声信号を別のレベルでスピーカ出力端子にも供給するものであることを特徴とするオーディオ装置。
【請求項２】
前記第１のレベルを調整する手段を有することを特徴とする請求項１に記載のオーディオ装置。
【請求項３】
前記第４のラインを介して得られる所定の信号として複数の種類のものが予め定められており、また、この各種類の信号に対応させて、前記第１のレベルとして複数のレベルが予め定められており、前記音声信号供給手段は、前記第１のレベルで音声信号の供給を行うとき、第１のレベルのうちの、前記第４のラインを介して得られた信号の種類に対応するレベルで供給を行うものであることを特徴とする請求項１又は２に記載のオーディオ装置。
【請求項４】
前記音声信号供給手段は、前記第１のレベルで音声信号の供給を行うとき、前記第４のラインに対し、該音声信号における所定のデータ単位の開始及び終了を示す信号を印加するものであることを特徴とする請求項１〜３のいずれか１項に記載のオーディオ装置。
【請求項５】
２つの音声信号チャンネル及びグランド用の各ラインを有し、ヘッドホンに接続された３極ケーブル、又はこれらのラインに加え、第４のラインを有し、所定の録音装置に接続された４極ケーブルが選択的に接続可能な出力端子と、
前記出力端子に対して前記４極ケーブルが接続され、かつその第４のラインを介して所定の信号が得られた第１の接続状況にあること、又は前記出力端子に対して前記３極ケーブルが接続された第２の接続状況にあることを検出する接続状況判定手段と、
前記出力端子及びスピーカ出力端子に対して所定の音声信号を供給し得る音声信号供給手段とを備え、
前記音声信号供給手段は、前記音声信号を前記出力端子に対して供給する場合、前記第１の接続状況にあるときには、前記音声信号を前記スピーカ出力端子に供給し、前記第２の接続状況にあるときには、前記音声信号を前記スピーカ出力端子に供給しないものであることを特徴とするオーディオ装置。
【請求項６】
前記出力端子及びスピーカ出力端子に供給する音声信号のレベルを別個に調整する手段を有することを特徴とする請求項５に記載のオーディオ装置。
【請求項７】
２つの音声信号チャンネル及びグランド用の各ラインを有し、ヘッドホンに接続された３極ケーブル、又はこれらのラインに加え、第４のラインを有し、所定の録音装置に接続された４極ケーブルが選択的に接続可能な出力端子を備えたオーディオ装置における音声信号出力方法であって、
前記出力端子に対して前記４極ケーブルが接続され、かつその第４のラインを介して所定の信号が得られた第１の接続状況にあること、又は前記出力端子に対して前記３極ケーブルが接続された第２の接続状況にあることを検出する接続状況検出工程と、
前記出力端子に対し、所定の音声信号の供給を行うにあたり、前記第１の接続状況にある場合には予め定められた第１のレベルで供給を行い、前記第２の接続状況にある場合には第２のレベルで供給を行う音声信号供給工程とを備え、
前記音声信号供給工程では、前記第１のレベルで前記出力端子に対する音声信号の供給を行うとき、該音声信号を別のレベルでスピーカ出力端子にも供給することを特徴とする音声信号出力方法。
【発明の詳細な説明】
【技術分野】
【０００１】
本発明は、ヘッドホン用の出力端子を用いて外部の録音装置により録音を行うのに適したオーディオ装置、該録音装置、該オーディオ装置及び録音装置を有するオーディオシステム、並びに該オーディオ装置における音声信号出力方法に関する。
【背景技術】
【０００２】
従来、ヘッドホン端子は有するが記録用出力端子のないオーディオ装置における再生音や受信音を、外部の機器を用いて録音する場合には、ヘッドホン端子を利用して録音している。
【０００３】
図７はこのような従来のオーディオ装置の構成を示すブロック図である。同図に示すように、この装置は、チューナ６１、ＣＤプレーヤ６２、ＭＤプレーヤ６３、及びカセットプレーヤ６４からの入力信号のうちいずれかを選択して記録用出力及び音声信号として出力する入力セレクタ６５、入力セレクタ６５からの記録用出力に基づき録音を行う録音機６６、セレクタ６５からの音声信号を増幅するアンプ６７、入力セレクタ６５及びアンプ６７間に介在するボリューム６８、アンプ６７の出力を音波に変換するスピーカ６９、アンプ６７及びスピーカ６９間に設けられたリレー７０、アンプ６７の出力を増幅するヘッドホンアンプ７１、ヘッドホンアンプ７１の出力側に接続されたヘッドホン端子７２、装置各部を制御する制御マイコン７４、制御マイコン７４に対する入力を行うための操作部７５、及び制御マイコン７４による処理結果等の表示を行う表示部７６を備える。
【０００４】
入力セレクタ６５はセレクタＩＣにより構成されている。操作部７５には入力セレクタキーが設けられており、入力セレクタキーの操作により入力セレクタ６５による入力信号の選択について指示を行うことができるようになっている。図中の７７はヘッドホン端子７２に対して差込み及び引抜きが可能な接続プラグである。接続プラグ７７はヘッドホン７８又は外部録音機器７９に接続されている。ヘッドホン端子７２には接続プラグ７７が差し込まれているか否かを示す信号を出力する手段が設けられている。
【０００５】
図８は接続プラグ７７がヘッドホン端子７２に差し込まれる場合の処理であるヘッドホン検出処理を示すフローチャートである。制御マイコン７４は、ステップ７１において、ヘッドホン端子７２に対する接続プラグ７７の差込みの有無を監視する。差込みを検出すると、ステップ７２において、リレー７０をオフ、すなわち切断状態として、ヘッドホン検出処理を終了する。これによれば、ユーザは接続プラグ７７をヘッドホン端子７２に差し込むだけで、音声信号の出力先をスピーカ６９からヘッドホンへ切り替えることができる。
【０００６】
図９は制御マイコン７４による入力セレクタ６５の切換え処理を示す。制御マイコン７４は、ステップ８１において、操作部７５における入力セレクタキーの操作の有無を監視する。操作を検出すると、ステップ８２において、チューナ又はプレーヤ６１〜６４からの入力信号のうち、入力セレクタキーの操作により指示されたものを選択して出力するように入力セレクタ６５を設定し、切換え処理を終了する。
【０００７】
このようにして、ユーザはチューナ又はプレーヤ６１〜６４のうち所望のものを選択してその受信音又は再生音をヘッドホン７８又はスピーカ６９を介して聴取することができる。また、かかる受信音又は再生音を、外部録音機器７９に接続された接続プラグ７７をヘッドホン７８からの接続プラグ７７に代えてヘッドホン端子７２に差し込むことによって、外部録音機器７９を用いて録音することができる。
【０００８】
しかしながら、これによれば、外部録音機器７９により録音を行う場合、ヘッドホン端子７７を利用するようにしているため、ヘッドホン７８の使用時と同様に、ユーザは録音中の音を、スピーカ６９を介して聴くことができず、現在何を録音しているのかを認識することができない。また、録音中の音がスピーカ６９から出ていないため、ユーザは所望の箇所で録音を停止させることもできない。音量を調整する目的でボリューム６８を操作すると、外部録音機器７９で録音中の音のレベルが変化してしまう。
【０００９】
これに対し、特許文献１には、ヘッドホンに接続されたプラグがヘッドホンジャックに挿入されているか否かを検出し、この検出結果に応じてスピーカ及びヘッドホンジャックへの音声信号の出力を任意に制御することができるようにしたオーディオ装置が記載されている。また特許文献２には、ヘッドホンのプラグがヘッドホンジャックに挿入されている状態で、ヘッドホンに設けたスイッチを操作することにより、ヘッドホン及びスピーカの駆動を制御することができるようにしたオーディオ装置が記載されている。これら特許文献１及び２の装置によれば、プラグがヘッドホンジャックに挿入された状態でも、スピーカによる放音を行うことができるようになっている。
【００１０】
【特許文献１】特開２００２−３７４５８６号公報
【特許文献２】実公平５−４６３９８号公報
【発明の開示】
【発明が解決しようとする課題】
【００１１】
しかしながら特許文献２の技術においても、ヘッドホンジャックを用い、外部録音機器により録音を行っているときに、スピーカの音量を調整すると、上記図７の従来技術の場合と同様に、録音中の音の音量も変化してしまう。
【００１２】
一方、特許文献１の技術によれば、スピーカの音量のみを独立して調整することができるようにも思われる。しかしこれによれば、ヘッドホン用とスピーカ用とに別々にボリュームを設ける必要がある。
【００１３】
また、上記いずれの技術においても、外部録音機器への出力レベルが、外部録音機器の入力感度と適合しない場合が多い。このため、一度録音してから再生して録音レベルを確認し、レベルが適合していないと感じた場合には、オーディオ装置側のボリューム位置を調整し、再度録音を試みるという、試行錯誤が必要とされる場合がある。
【００１４】
また、何曲かを連続して録音する場合、１曲毎に録音を停止して、再度録音を開始するという操作を行わなければ、それらがすべて１トラック又は１つのファイルとして録音されてしまい、曲毎に別トラックとしたり、別データとしたりすることができないという不都合もある。
【００１５】
また、特許文献１及び２の装置によれば、ヘッドホンによる聴取と外部録音機器での録音とで、スピーカからの出力のオン・オフを切り換えるには、そのための操作を行う必要がある。
【００１６】
本発明の目的は、このような従来技術の問題点に鑑み、オーディオ装置のヘッドホン用出力を用いて記録を行う際の利便性をより向上させることにある。
【課題を解決するための手段】
【００１７】
上記目的を達成するため、第１の発明に係るオーディオ装置は、２つの音声信号チャンネル及びグランド用の各ラインを有し、ヘッドホンに接続された３極ケーブル、又はこれらのラインに加え、第４のラインを有し、所定の録音装置に接続された４極ケーブルが選択的に接続可能な出力端子と、前記出力端子に対して前記４極ケーブルが接続され、かつその第４ラインを介して所定の信号が得られた第１の接続状況にあること、又は前記出力端子に対して前記３極ケーブルが接続された第２の接続状況にあることを検出する接続状況検出手段と、前記出力端子に対し、所定の音声信号の供給を行うにあたり、前記第１接続状況にある場合には予め定められた第１のレベルで供給を行い、前記第２接続状況にある場合には第２のレベルで供給を行う音声信号供給手段とを具備することを特徴とする。
【００１８】
ここで、２つの音声信号チャンネルとしては、たとえば、ステレオ音声信号の左右のチャンネルが該当する。所定の録音装置としては、たとえば、録音機能を備えたポータブルメモリプレーヤやポータブルＨＤＤプレーヤ、ポータブルＭＤが該当する。出力端子としては、たとえば、３極プラグ及び４極プラグが差込み可能な４極のジャックが該当する。予め定められた第１のレベルとしては、たとえば、前記所定の録音装置による録音に適したものとして予め設定されているものが該当する。
【００１９】
この構成において、ヘッドホンに接続された３極ケーブルが出力端子に接続されると、第２接続状況にあると判定され、音声信号が第２レベルでヘッドホンに出力される。一方、所定の録音装置に接続された４極ケーブルが出力端子に接続され、該録音装置により第４ラインに所定の信号が印加されると、第１接続状況にあると判定され、音声信号が第１レベルで録音装置に出力される。したがって、第１レベル及び第２レベルを適切に設定することにより、ヘッドホン及び録音装置のそれぞれに適したレベルで音声信号の出力を行うことができる。
【００２０】
第２の発明に係るオーディオ装置は、第１発明において、前記第１レベルを調整する手段を有することを特徴とする。
【００２１】
第３の発明に係るオーディオ装置は、第１又は第２発明において、前記第４ラインを介して得られる所定の信号として複数の種類のものが予め定められており、また、この各種類の信号に対応させて、前記第１レベルとして複数のレベルが予め定められており、前記音声信号供給手段は、前記第１レベルで音声信号の供給を行うとき、第１レベルのうちの、前記第４ラインを介して得られた信号の種類に対応するレベルで供給を行うものであることを特徴とする。
【００２２】
第４の発明に係るオーディオ装置は、第１〜第３のいずれかの発明において、前記音声信号供給手段は、前記第１レベルで音声信号の供給を行うとき、前記第４ラインに対し、該音声信号における所定のデータ単位の開始及び終了を示す信号を印加するものであることを特徴とする。
【００２３】
第５の発明に係るオーディオ装置は、第１〜第４のいずれかの発明において、前記音声信号供給手段は、前記第１レベルで前記出力端子に対する音声信号の供給を行うとき、該音声信号を別のレベルでスピーカ出力端子にも供給するものであることを特徴とする。
【００２４】
第６の発明に係るオーディオ装置は、２つの音声信号チャンネル及びグランド用の各ラインを有し、ヘッドホンに接続された３極ケーブル、又はこれらのラインに加え、第４のラインを有し、所定の録音装置に接続された４極ケーブルが選択的に接続可能な出力端子と、前記出力端子に対して前記４極ケーブルが接続され、かつその第４ラインを介して所定の信号が得られた第１の接続状況にあること、又は前記出力端子に対して前記３極ケーブルが接続された第２の接続状況にあることを検出する接続状況判定手段と、前記出力端子及びスピーカ出力端子に対して所定の音声信号を供給し得る音声信号供給手段とを備え、前記音声信号供給手段は、前記音声信号を前記出力端子に対して供給する場合、前記第１接続状況にあるときには、前記音声信号を前記スピーカ出力端子に供給し、前記第２接続状況にあるときには、前記音声信号を前記スピーカ出力端子に供給しないものであることを特徴とする。
【００２５】
第７の発明に係るオーディオ装置は、第６発明において、前記出力端子及びスピーカ出力端子に供給する音声信号のレベルを別個に調整する手段を有することを特徴とする。
【００２６】
第８の発明に係る録音装置は、第１発明における４極ケーブルが接続可能な端子を備え、該４極ケーブルが第３発明のオーディオ装置に接続された場合、該オーディオ装置がその出力端子に対し第１レベルで音声信号の供給を行うときの該第１レベルが録音に適したものとなるように、該４極ケーブルの第４ラインに対し、所定の信号が印加されるようにする手段を具備することを特徴とする。
【００２７】
第９の発明に係る録音装置は、第１発明における４極ケーブルが接続可能な端子を備え、該４極ケーブルが第４発明のオーディオ装置に接続された場合において、該オーディオ装置がその出力端子に対し第１レベルで音声信号の供給を行うとき、該オーディオ装置が該４極ケーブルの第４ラインに印加する所定のデータ単位の開始及び終了を示す信号に基づき、前記所定のデータ単位で区切りながら、該音声信号を録音することを特徴とする。
【００２８】
第１０の発明に係るオーディオシステムは、第３発明のオーディオ装置及び第８発明の録音装置を具備することを特徴とする。
【００２９】
第１１の発明に係るオーディオシステムは、第４発明のオーディオ装置及び第９発明の録音装置を具備することを特徴とする。
【００３０】
第１１の発明に係る音声信号出力方法は、２つの音声信号チャンネル及びグランド用の各ラインを有し、ヘッドホンに接続された３極ケーブル、又はこれらのラインに加え、第４のラインを有し、所定の録音装置に接続された４極ケーブルが選択的に接続可能な出力端子を備えたオーディオ装置における音声信号出力方法であって、前記出力端子に対して前記４極ケーブルが接続され、かつその第４ラインを介して所定の信号が得られた第１の接続状況にあること、又は前記出力端子に対して前記３極ケーブルが接続された第２の接続状況にあることを検出する接続状況検出工程と、前記出力端子に対し、所定の音声信号の供給を行うにあたり、前記第１接続状況にある場合には予め定められた第１のレベルで供給を行い、前記第２接続状況にある場合には第２のレベルで供給を行う音声信号供給工程とを具備することを特徴とする。
【発明の効果】
【００３１】
本発明によれば、音声信号を、第１接続状況においては所定の録音装置による録音に適した第１レベルで供給するとともに、第２接続状態においては第２レベルで供給するようにしたため、録音装置及びヘッドホンのそれぞれに適したレベルで音声信号の出力を行うことができる。このため、録音装置においては、最適な音声信号レベルで歪みのない録音を行うことができる。
【００３２】
また、音声信号を出力端子に対して供給する場合、第１接続状況においてはスピーカに対しても音声信号を供給し、第２接続状況においてはスピーカに対して音声信号を供給しないようにしたため、録音装置により録音を行うとき、スピーカへの音声信号の供給をオンとするための操作を不要とすることができる。このため、第１接続状況においては、録音装置に適したレベルでの音声信号の出力により最適な録音を行いつつ、スピーカによる放音が可能となるので、録音装置により録音しながら、スピーカによるモニタが可能となる。
【００３３】
また、第１接続状況にある場合、第４ラインの信号の相違に応じて第１レベルを変更するようにしたため、接続されている録音装置に適した第１レベルで、該録音装置に対し、音声信号を出力することができる。
【００３４】
また、第１接続状況にある場合、第４ラインに対し、音声信号における所定のデータ単位の開始及び終了を示す各区切り信号を印加するようにしたため、接続されている録音装置は該区切り信号に基づき、音声信号を、トラックに分けたり、ファイルに分けたりして録音することができる。
【発明を実施するための最良の形態】
【００３５】
図１は本発明の一実施形態に係るオーディオ装置の構成を示すブロック図である。同図に示すように、この装置は、チューナ１、ＣＤプレーヤ２、ＭＤプレーヤ３、及びカセットプレーヤ４からの入力信号のうちから１つを選択して記録用出力（ＲＥＣ  ＯＵＴ）及び音声信号として出力するセレクタＩＣ（以下、「入力セレクタ」という。）５、入力セレクタ５からの記録用出力に基づき録音を行う録音機６、入力セレクタ５からの音声信号を増幅するアンプ７、入力セレクタ５及びアンプ７間に介在するボリューム８、アンプ７の出力を音波に変換するスピーカ９、アンプ７及びスピーカ９間に設けられたリレー１０、アンプ７の出力又は記録用出力を増幅するヘッドホンアンプ１１、ヘッドホンアンプ１１の出力側に接続されたヘッドホン端子１２、及びヘッドホンアンプ１１への入力を記録用出力及びアンプ７の出力間で切り換えるセレクタＩＣ１３、セレクタＩＣ１３及びヘッドホンアンプ１１間に介在するボリューム１４を備える。装置の筐体部分には、スピーカ９を装置に接続する手段として、端子１５が設けられている。スピーカ９はこの端子１５を介してリレー１０に接続される。
【００３６】
オーディオ装置はさらに、装置各部を制御する制御マイコン１６、制御マイコン１６に対してユーザが各種の操作入力を行うための操作部１７、及び制御マイコン１６による処理結果等の表示を行う表示部１８を備える。操作部１７には入力セレクタ５による入力信号の切換えを指示するための入力セレクタキー、並びに、記録用出力モードへの切換え及び該モードの解除を行うための記録用出力モードキー及びセットキーが設けられている。記録用出力モードキーの押下により記録用出力モードへの切換えを行うかを問い合わせる表示、たとえば「記録用出力オン？」の文字の表示が行われ、所定時間内にセットキーが押下されると、記録用出力モードに切り換わるようになっている。
【００３７】
記録用出力モードとは、ヘッドホン端子１２を介して外部録音機器１９による録音を行うのに適したモードである。セレクタＩＣ１３を制御することにより、記録用出力モードでは、入力セレクタ５からの記録用出力がヘッドホンアンプ１１に入力され、該モードが解除されている状態では、アンプ７の出力がヘッドホンアンプ１１に入力される。
【００３８】
図中の２０及び２１は、ヘッドホン端子１２に対して差し込むことが可能な３極プラグ及び４極プラグである。３極プラグ２０は、図２（ａ）に示すように、左右の音声信号チャンネル及びグランド用のそれぞれの極Ｌ、Ｒ、及びＧを備え、これらの各極に接続した各ラインを有する３極ケーブルを介してヘッドホン２２に接続されている。４極プラグ２１は、同図（ｂ）に示すように、さらに第４の極２４を備えており、４極ケーブルを介して外部録音機器１９に接続されている。
【００３９】
オーディオ装置はさらに、ヘッドホン端子１２に対するプラグ２０又は２１の差込みの有無を示す信号を制御マイコン１６に対して出力する信号処理部２３を備える。信号処理部２３はさらに、４極プラグ２１が接続されている場合には、その第４極２４に印加されている電圧を制御マイコン１６に対して出力するとともに、ヘッドホン端子１２を介して出力する音声信号における楽曲の開始及び終了を示す区切り信号を、４極プラグ２１の第４極に印加する機能を備える。
【００４０】
図３は外部録音機器１９に接続された４極プラグ２１がヘッドホン端子１２に差し込まれているときの概略的な様子を示す。図中の３１は図１のオーディオ装置であり、３２は４極プラグ２１の第４極２４に接続された、４極ケーブル中の第４ラインである。同図に示すように、外部録音機器１９において第４ライン３２に接続されたプルアップ抵抗Ｒ１及びオーディオ装置３１側において第４ライン３２とグラウンドとの間に接続された抵抗Ｒ２により定まる所定の電圧に基づく信号が制御マイコン１６に供給されている。これにより制御マイコンン１６は、外部録音機器１９が４極プラグ２１を介して接続されたことを認識することができる。
【００４１】
また、第４ライン３２とグラウンドとの間には、それぞれ所定の抵抗を介してスイッチ素子ＳＷ１及びＳＷ２が設けられている。制御マイコン１６はスイッチ素子ＳＷ１及びＳＷ２のオン・オフを制御することにより４種類の電圧値による信号を、４極ケーブル中の第４ライン３２に印加することができる。これにより、制御マイコン１６は、ヘッドホン端子１２を介して出力する音声信号における楽曲の開始及び終了を示す区切り信号を、外部録音機器１９のマイコン３３に対して送出することができる。
【００４２】
図４は制御マイコン１６による処理の一部を示すフローチャートである。なお、外部録音機器１９として、第１の録音機器及び第２の録音機器が接続されることが想定され、それぞれ、接続時には、図３における第１ライン３２の電圧値が所定の第１電圧Ｖ１及び第２電圧Ｖ２となるようにプルアップ抵抗Ｒ１の抵抗値が設定されているものとする。また制御マイコン１６は、第１録音機器及び第２録音機器のそれぞれに適した出力レベルを得るためのボリューム１４の調整位置として、第１電圧値Ｖ１及び第２電圧Ｖ２に対応する位置を保持している。
【００４３】
この処理を開始すると、制御マイコン１６は、まず、ステップ４１において、ヘッドホン端子１２に対し、プラグ２０又は２１の差込みがあったか否かを判定する。差込みがなかったと判定した場合は図４の処理を終了する。差込みがあったと判定した場合には、ステップ４２において、ヘッドホン端子１２における、プラグの第４極相当部分に接触する端子部分の電圧値が第１電圧Ｖ１であるか否かを判定する。
【００４４】
第１電圧Ｖ１であると判定した場合には、ステップ４３において、ボリューム１４の調整値を、予め第１電圧Ｖ１に対して定められている位置に変更する。また、セレクタＩＣ１３を、記録用出力モード側に設定する。これにより、記録用出力モードに移行し、ヘッドホン端子１２を介して外部録音機器１９（第１録音機器）に出力される音声信号のレベルは、第１録音機器に適した値に設定されたことになる。さらにステップ４４においてリレー１０をオン状態とし、図４の処理を終了する。これにより、その後、チューナ１又は各再生部２〜４における再生動作等を開始し、音声信号の出力を行うとき、ユーザは、記録内容をスピーカ９でモニタしながら記録を行うことができる。
【００４５】
ステップ４２において、第１電圧Ｖ１ではないと判定した場合には、ステップ４５へ進み、同端子部分の電圧が第２電圧Ｖ２であるか否かを判定する。第２電圧Ｖ２であると判定した場合には、ステップ４７において、ボリューム１４を、予め第２電圧Ｖ２に対して定められている位置に変更する。また、セレクタＩＣ１３を、記録用出力モード側に設定する。これにより、記録用出力モードに移行し、ヘッドホン端子１２を介して外部録音機器１９（第２録音機器）に出力される音声信号のレベルは、第２録音機器に適した値に設定されたことになる。さらに、ステップ４８において、リレー１０をオン状態とし、図４の処理を終了する。これにより、その後、チューナ１又は各再生部２〜４における再生動作等を開始し、音声信号の出力を行うとき、ユーザは、記録内容をスピーカ９でモニタしながら記録を行うことができる。
【００４６】
ステップ４５において、第２電圧Ｖ２ではなく、たとえばグラウンド電圧であると判定した場合には、ステップ４６へ進み、リレー１０をオフ状態として、図４の処理を終了する。この場合、ヘッドホン端子１２には、ヘッドホン２２に接続された３極プラグ２０が差し込まれていることが想定されており、その後ユーザは、記録用出力モードに移行することなく、ＣＤプレーヤ２等の再生を行うと、スピーカ９からの放音を行うことなく、ヘッドホン２２のみで、聴取を行うことができる。
【００４７】
なお、ステップ４３又は４７において記録用出力モードに移行した後、プラグ２１が引き抜かれたときは、ヘッドホン端子１２における、プラグの第４極部分に接触する端子部分の電圧値が第１電圧Ｖ１から変動することに基づき、記録用出力モードは解除される。
【００４８】
図５は制御マイコン１６による処理の別の一部を示すフローチャートである。この処理は、図４の処理におけるステップ４２又は４５において、第４電極の電圧が第１電圧Ｖ１又は第２電圧Ｖ２であると判定された場合、すなわち上述の第１録音機器又は第２録音機器が接続されている場合に、記録用出力モードにおいて、チューナ１又は各再生部２〜４における再生動作等により音声信号の出力が行われているとき、繰り返し行われる。今、外部録音機器１９として、上述の第１録音機器が接続されているものとする。
【００４９】
処理が開始されると、ステップ５１及び５２において、出力中の音声信号について、楽曲の開始タイミングであるか又は終了タイミングであるかを判定する。この判定は、チューナ６１又は各再生部６２〜６４からの音声信号に基づいて行うことができる。楽曲の開始タイミングと判定した場合には、ステップ５３において、図３のスイッチ素子ＳＷ１をオンとし、スイッチ素子ＳＷ２をオフとして、図５の処理を終了する。これにより、第４ライン３２の電圧値は、両スイッチ素子ＳＷ１及びＳＷ２がオフ状態のときの第１電圧Ｖ１とは異なる第３の電圧Ｖ３となる。一方、楽曲の開始タイミングと判定した場合には、ステップ５４において、スイッチ素子ＳＷ１及びＳＷ２の双方をオン状態とし、図５の処理を終了する。これにより、第４ライン３２の電圧値は、第１電圧Ｖ１及び第３電圧Ｖ３とは異なる第４の電圧Ｖ４となる。ステップ５１及び５２において、楽曲の開始タイミングでも終了タイミングでもないと判定した場合には、直ちに図５の処理を終了する。
【００５０】
図６は外部録音機器１９のマイコン３３における処理の一部を示すフローチャートである。今、外部録音機器１９として、第１録音機器が接続されているとする。処理を開始すると、ステップ６１及び６２において、第４ライン３２の電圧は上記第３電圧Ｖ３であるか又は第４電圧Ｖ４であるかどうかを判定する。第３電圧Ｖ３であると判定した場合には、ステップ６３において、新たなトラックを開始するための処理を行い、図６の処理を終了する。その後、供給される音声信号はそのトラックに属するものとして、記録されることになる。一方、第４電圧であると判定した場合には、ステップ６４において、トラックを終了させるための処理を行い、図６の処理を終了する。以後のデータは無音状態のものであるとして取り扱われることになる。ステップ６１及び６２において、第３電圧Ｖ３及び第４電圧Ｖ４のいずれでもないと判定した場合には、直ちに図６の処理を終了する。
【００５１】
以上の図５及び図６の処理により、オーディオ装置から出力される音声信号に基づき、外部録音機器１９により、トラック毎に区切りを付与しながら録音を行うことができる。
【００５２】
以上のように本実施形態によれば、ヘッドホン２２との間で出力端子１２を共用しながらも、外部録音機器１９による録音のレベルを適切なものとすることができる。また、外部録音機器１９を、プラグ２１を用いて接続するだけで、スピーカ９によるモニタが有効となるので、録音開始を確実に認識し、音声信号をモニタしながら該音声信号に基づく録音を行うことができる。その際に、トラック毎に録音を停止させる必要なく、トラックの区切りを自動的に付与することができる。
【図面の簡単な説明】
【００５３】
【図１】本発明の一実施形態に係るオーディオ装置の構成を示すブロック図である。
【図２】図１の装置に接続できる３極プラグ及び４極プラグを示す図である。
【図３】外部録音機器に接続された４極プラグが図１の装置のヘッドホン端子に差し込まれているときの概略的な様子を示す回路図である。
【図４】図１の装置の制御マイコンによる処理の一部を示すフローチャートである。。
【図５】図１の装置の制御マイコンによる処理の別の一部を示すフローチャートである。
【図６】外部録音機器のマイコンにおける処理の一部を示すフローチャートである。従来のオーディオ装置の構成を示すブロック図である。
【図７】従来のオーディオ装置の構成を示すブロック図である。
【図８】図７のオーディオ装置におけるヘッドホン検出処理を示すフローチャートである。
【図９】図７のオーディオ装置における入力セレクタの切換え処理を示すフローチャートである。
【符号の説明】
【００５４】
１，６１：チューナ、２，６２：ＣＤプレーヤ、３，６３：ＭＤプレーヤ、４，６４：カセットプレーヤ、５，６５：入力セレクタ、６，６６：録音機、７，６７：アンプ、８，１４，６８：ボリューム、９，６９：スピーカ、１０，７０：リレー、１１，７１：ヘッドホンアンプ、１２，７２：出力端子、１３：セレクタＩＣ、１４，７４：制御マイコン、１７，７５：操作部、１８，７６：表示部、２０，２１，７７：接続プラグ、２２，７８：ヘッドホン、２３：信号処理部、３１：オーディオ装置、３２：第４ライン、Ｒ１，Ｒ２：抵抗、ＳＷ１，ＳＷ２：スイッチ素子、Ｌ：左音声チャンネルの極、Ｒ：右音声チャンネルの極、Ｇ：グランドの極、２４：第４の極、１９，７９：外部録音機器。
【図１】
0004497544.tif 000002
【図２】
0004497544.tif 000003
【図３】
0004497544.tif 000004
【図４】
0004497544.tif 000005
【図５】
0004497544.tif 000006
【図６】
0004497544.tif 000007
【図７】
0004497544.tif 000008
【図８】
0004497544.tif 000009
【図９】
0004497544.tif 000010